(57)【要約】それぞれ締結手段を備えた複数の標本載置用ステージを、選択的に締結するための複数の締結手段を備えた、顕微鏡用サブステージ。
2008117809.tif 000002
【特許請求の範囲】
【請求項１】
それぞれ締結手段を備えた複数の標本載置用ステージを、選択的に締結するための複数の締結手段を備えた、顕微鏡用サブステージ。
【請求項２】
記締結手段の一つは、ねじ止めによる締結手段であり、他の一つは、丸アリ継手を用いた締結手段であることを特徴とする請求項１に記載のサブステージ。
【請求項３】
請求項１または請求項２に記載のサブステージを有することを特徴とする顕微鏡。
【請求項４】
それぞれ締結手段を備えた複数の顕微鏡用サブステージに、選択的に締結されるための複数の締結手段を備えた、標本載置用ステージ。
【請求項５】
前記締結手段の一つは、ねじ止めによる締結手段であり、他の一つは、丸アリ継手を用いた締結手段であることを特徴とする請求項４に記載のステージ。
【請求項６】
請求項４または請求項５に記載のステージを有することを特徴とする顕微鏡。
【請求項７】
請求項１または請求項２に記載のサブステージ、及び請求項４または請求項５に記載のステージを有することを特徴とする顕微鏡。
【請求項８】
請求項１に記載のサブステージは、厚みの異なるステージを装着可能であり、
前記サブステージに対して上下動可能なように前記サブステージの下部に装着され、前記ステージ上の試料に照明光を集光させるためのコンデンサレンズを保持するコンデンサレンズホルダと、
前記サブステージと前記コンデンサレンズホルダとの間に設けられ、前記コンデンサレンズホルダを上方へ移動させたとき、前記サブステージと前記コンデンサレンズホルダとの間隔を規制する移動規制手段を備えたコンデンサレンズ位置決め装置とを備えた顕微鏡。
【請求項９】
前記移動規制手段は、前記サブステージ及び前記コンデンサレンズホルダのいずれか一方に設けられた磁石と、この磁石に吸着される調整部材とで構成されることを特徴とする請求項８記載の顕微鏡用のコンデンサレンズ位置決め装置。
【請求項１０】
前記磁石は前記サブステージの下面又はその下面と対向する前記コンデンサレンズホルダの上面に形成された凹部に配置され、前記磁石の先端部は前記サブステージの下面又は前記コンデンサレンズホルダの上面より引っ込んだ位置にあることを特徴とする請求項９記載のコンデンサレンズ位置決め装置。
【請求項１１】
前記移動規制手段は、前記コンデンサレンズホルダの上面に形成された凹部と、この凹部と嵌合可能であり、前記サブステージの下面に当接可能な調整部材とで構成されることを特徴とする請求項８記載の顕微鏡用のコンデンサレンズ位置決め装置。
【請求項１２】
前記移動規制手段は、前記コンデンサレンズホルダの上面に形成されためねじと、このめねじに螺合可能なおねじ部を有し、前記サブステージの下面に当接可能な調整部材とで構成されることを特徴とする請求項８記載の顕微鏡用のコンデンサレンズ位置決め装置。
【発明の詳細な説明】
【技術分野】
【０００１】
本発明は、顕微鏡のサブステージと、ステージと、これを有する顕微鏡に関する。
【背景技術】
【０００２】
従来、顕微鏡用のステージは、観察する試料の大きさやその観察目的に応じて様々な種類のものが存在しているが、顕微鏡への固定方法については大きく２つに分類される。
一つは、最も一般的に知られている方式であり、生物標本を観察するステージに多く採用されている丸アリ継手による固定である（例えば、日本国特開２００３−７５７３０号公報参照）。この種のステージの多くは２枚板構成であり、下板が顕微鏡に固定され、上板が検鏡者に対して前後方向（Ｙ方向）に移動するように構成されている。スライドガラスはこの上板に搭載されるが、この際上板の表面を左右方向（Ｘ方向）に移動するスライドガラスホルダにスライドガラスが保持されることで、スライドガラスの平面内（ＸＹ方向の）移動を達成している。
下板を顕微鏡に固定する際には丸アリ継手が使用される。例えばステージ下板にメスアリが配置され、顕微鏡のサブステージにオスアリが構成されていることが一般的であるが、オス、メスが逆に構成されている製品も存在する。
もう一つは、主に工業用途に使用されている大型ステージなどの固定に多く採用されているボルトによる固定である。
工業用途の場合、観察する試料が大きく、さらに重い場合が多いので前述したような生物標本を観察するような２枚板構成のステージは適しておらず、試料を載せる上板自体が平面内（ＸＹ方向）に移動できるような３枚板構成のものが使用される。この場合試料だけでなくステージ自体も２枚板構成のステージに比べ重いものとなっている。３枚板構成のステージでは一番下の板が顕微鏡に固定され、その上の中板が検鏡者に対して前後方向（Ｙ方向）に移動するように構成されている。さらに一番上の上板は中板に対して左右方向（Ｘ方向）に移動するように構成されているので、上板は平面内（ＸＹ方向）の移動ができるようになっている。このため試料は上板に載せることで上板とともにＸＹ方向に移動させることができる。
下板を顕微鏡に固定する際にはボルトやネジが使用される。例えばステージ下板にザグリ穴（またはボルト穴）が複数設けられており、顕微鏡のサブステージの対応する箇所にはネジ穴が設けられている。このザグリ穴とネジ穴に対してボルトやネジなどを使いステージとサブステージとを固定する。ステージとサブステージの位置決めのため嵌合や位置決めピンが併用されることもあるが、もちろん位置決めがそれほど厳密でない場合はこれらは無くても良い。このようにステージにザグリ穴、サブステージにネジ穴が設けられていることが一般的であるが、ステージにネジ穴、サブステージにザグリ穴が設けられている製品も存在する。ボルトまたはネジによる固定の特徴としては、固定が強固である点が挙げられる。したがって重量のある大型ステージなどの３枚板構成のステージには多い取り付け方法である。
しかしながら、従来の顕微鏡は、前述のように使用する顕微鏡によって搭載するステージが定められてしまうため、丸アリ固定ステージとネジ締め固定ステージを自在に顕微鏡に交換して搭載することができないという課題がある。
【発明の開示】
【０００３】
上記課題を解決するため、本発明は、それぞれ締結手段を備えた複数の標本載置用ステージを、選択的に締結するための複数の締結手段を備えた、顕微鏡用サブステージを提供する。
また、本発明は、それぞれ締結手段を備えた複数の顕微鏡用サブステージに、選択的に締結されるための複数の締結手段を備えた、標本載置用ステージを提供する。
本発明によれば、１台の顕微鏡本体に異なる機構を備えたステージを交換可能に設置できるので、１台の顕微鏡のみで異なる形態の試料の観察ができる。
【図面の簡単な説明】
【０００４】
図１Ａ−１Ｃは、本発明の第１実施の形態に係るサブステージを有する顕微鏡本体の部分外観図であり、図１Ａはサブステージの一部断面を含む顕微鏡本体の側面図であり、図１Ｂはサブステージを図１Ａの矢印Ａ方向から見た矢視図であり、図１Ｃは図１Ｂにおけるサブステージのみを示す矢視図である。
図２Ａ−２Ｃは、丸アリ継手を用いてサブステージ２に締結されるステージの一例を示し、図２Ａは上面図、図２Ｂは側面図、図２Ｃは底面図であり図２Ｂにおける矢印Ｂから見た矢視図である。
図３Ａ−３Ｃは、ねじ締め或いはボルト止めを用いてサブステージ２に締結されるステージの一例を示し、図３Ａは上面図、図３Ｂは側面図、図３Ｃは底面図であり図３Ｂにおける矢印Ｂから見た矢視図である。
図４Ａ−４Ｃは、本発明の第２実施の形態に係るサブステージを有する顕微鏡本体の部分外観図であり、図４Ａはサブステージの一部断面を含む顕微鏡本体の側面図であり、図４Ｂはサブステージを図４Ａの矢印Ａ方向から見た矢視図であり、図４Ｃは図４Ｂにおけるサブステージのみを示す矢視図である。
図５Ａ−５Ｃは、丸アリ継手を用いてサブステージ２２に締結されるステージの一例を示し、図５Ａは上面図、図５Ｂは側面図、図５Ｃは底面図であり図５Ｂにおける矢印Ｂから見た矢視図である。
図６Ａ−６Ｃは、丸アリ継手用とねじ締め用の両方の締結手段に対応可能な２枚構成ステージの一例を示し、図６Ａは上面図、図６Ｂは側面図、図６Ｃは底面図であり図６Ｂにおける矢印Ｂから見た矢視図である。
図７Ａ−７Ｃは、丸アリ継手用とねじ締め用の両方の締結手段に対応可能な３枚構成ステージの一例を示し、図７Ａは上面図、図７Ｂは側面図、図７Ｃは底面図であり図７Ｂにおける矢印Ｂから見た矢視図である。
図８は、本発明の第４実施形態に係る顕微鏡を一部を破断して示す側面図である。
図９は、図８に示す顕微鏡に３枚の板で構成されるステージを装着した状態の一部を示す破断面図である。
図１０Ａ−１０Ｂは、図８に示す顕微鏡に２枚の板で構成されるステージを装着した状態の一部を示し、図１０Ａは一部を破断して示す側面図、図１０Ｂは部分拡大図である。
図１１Ａ−１１Ｂは、本発明の第５実施形態に係る顕微鏡の一部を示し、図１１Ａは一部を破断して示す側面図、図１１Ｂは部分拡大図である。
図１２Ａ−１２Ｂは、本発明の第６実施形態に係る顕微鏡の一部を示し、図１１Ａは一部を破断して示す側面図、図１１Ｂは部分拡大図である。
【発明を実施するための最良の形態】
【０００５】
（第１実施の形態）
以下、本発明の第１実施の形態について図面に基づいて説明する。図１Ａ−１Ｃは第１実施の形態に係るサブステージを有する顕微鏡本体の部分外観図であり、図１Ａはサブステージの一部断面を含む顕微鏡本体の側面図であり、図１Ｂはサブステージ（図１Ｂ中、サブステージの開口部からは、下部のコンデンサレンズホルダの上面が見えた状態となっている）を図１Ａの矢印Ａ方向から見た矢視図であり、図１Ｃは図１Ｂにおけるサブステージのみを示す矢視図である。
以下で説明する、第１及び第２実施の形態のサブステージは、従来既知のステージを装着するためのそれぞれ異なる構成を持つものである。従って、これらに装着される各ステージは、従来からある一般的な締結手段を備えたものである。
図１Ａにおいて、顕微鏡本体１のサブステージ２は、コロレース部３を介して上下方向に稼動できるように構成されており、上下動ハンドル４を回転させることで図示しないラック＆ピニオン等の機構により上下動するように構成されている。このサブステージ２に標本を載置するための後述するステージが固定される。
サブステージ２には、ステージを選択的に締結するために二つの異なる締結手段が設けられている。ステージの締結手段の一つは、丸アリ継手を用いたものである。このためにサブステージ２の窪み５にはメスアリとして二本のビス６，６が設けられている。
また、他の締結手段の一つとして、サブステージ２には、ねじ止め或いはボルト止めを用いてステージを締結するために四箇所のねじ穴７、７、７、７が設けられている。
次に、サブステージ２に締結される従来のステージの一つに関し説明する。図２Ａ−２Ｃは、丸アリ継手を用いてサブステージ２に締結されるステージの一例を示し、図２Ａは上面図を、図２Ｂは側面図を、図２Ｃは底面図であり図２Ｂにおける矢印Ｂから見た矢視図である。
図２Ａ−２Ｃにおいて、ステージ１０の下板１１には丸アリ継手の要素であるオスアリ１２が設けられている。ステージ１０は、オスアリ１２を介して図１Ａ−１Ｃに示すサブステージ２に固定される一般的な生物顕微鏡用ステージである。ステージ１０は、ハンドル１４を回転することにより不図示のラック＆ピニオンを介して上板１３が図示しないコロレースなどのガイド機構により下板１１に対して図２Ａ−２Ｃ紙面上下方向に沿って直線的に移動可能に構成されている。この上板１３の上面に図示しないスライドガラスが搭載される。スライドガラスはスライドガラスホルダ１５に保持される。スライドガラスホルダ１５はハンドル１６を回転することによって不図示のラック＆ピニオンを介して図２Ａ−２Ｃ紙面左右方向に沿って直線的に移動可能に構成されている。
このステージ１０のオスアリ１２が、サブステージ２の二本のビス６，６に押し当てられつつクランプピン８によりサブステージ２に固定される。もちろん二本のビス６，６に代えてサブステージ２に機械加工で形成したメスアリで固定してもよい。また二本のビス６，６はステージ１０の位置が中心に来るように予め調整後、接着剤などでサブステージ２に固定されていても良いし、ユーザがステージ１０の心出し調整が行えるようにサブステージ２にねじ止めされ接着されていなくても良い。
次に、サブステージ２に締結される従来の他の一つのステージに関し説明する。図３Ａ−３Ｃは、ねじ止め或いはボルト止めを用いてサブステージ２に締結されるステージの一例を示し、図３Ａは上面図、図３Ｂは側面図、図３Ｃは底面図であり図３Ｂにおける矢印Ｂから見た矢視図である。
図３Ａ−３Ｃにおいて、ステージ３０は、下板３１が図１Ａ−１Ｃにおけるサブステージ２に固定される一般的な工業顕微鏡用のステージである。中板３２はハンドル３５を回転することにより不図示のラック＆ピニオンを介して不図示のコロレースなどのガイド機構により下板３１に対して図３Ａ−３Ｃ紙面上下方向に沿って直線的に移動可能に構成されている。また、上板３３は、ハンドル３６を回転することにより不図示のラック＆ピニオンを介して中板３２に対して不図示のコロレースなどのガイド機構により図３Ａ−３Ｃ紙面左右方向に沿って直線的に移動可能に構成されている。
このような３枚板の構成を取ることにより、上板３３はＸＹ平面内での２次元的な移動が可能になる。よって試料は上板３３とともにＸＹ平面内を移動することになり、前述した２枚板と異なり全ての方向の移動をコロレースを介してスムーズに行うことが可能となる。
下板３１には図１Ａ−１Ｃにおけるサブステージ２のねじ穴７，７，７，７への固定時に使用する四個のザグリ穴３４、３４、３４，３４が設けられている。ザグリ穴３４、３４、３４、３４はステージ３０の上方（図３Ａ紙面表面）からねじ止めできるようにステージ３０の上方からあけられている。（図３Ｃはステージ３０を下から見た図であり、図３Ｃでは下板３１の裏面、すなわち中板３２側よりザグリ穴３４、３４、３４、３４が設けられていることになる。）
ステージ３０をサブステージ２に取り付ける際は、下板３１をサブステージ２に当接させ、中板３２を片側、例えばＹ方向で検鏡者から離れる方向に寄せるなどしてザグリ穴３４、３４を露出させつつ、サブステージ２とのＸＹ平面内での位置合わせを行い図示しないボルトなどでねじ穴７，７に固定する。
ステージ３０の下板３１とサブステージ２との位置合わせは精度的に厳しくなければ大まかな位置で固定して構わない。正確に固定したい場合には、ステージ３０の下板３１とサブステージ２との間に嵌合部や位置決めピンなどを設けても良い。なお、下板３１には、重量を軽くするために一部分がカットされた円形部分３７が形成されている。
以上述べたように、第１実施の形態では、顕微鏡本体１のサブステージ２にメスアリとしての二つのビス６，６と四つのねじ穴７、７、７、７を設けることによって、オスアリ１２を有する例えば従来の生物標本用ステージ１０と、四つのザグリ穴３４、３４，３４，３４を有する例えば従来の工業用ステージ３０の両者を選択的に取り付けることが可能になる。この結果、ユーザは一台の顕微鏡本体１で生物標本用ステージ１０と工業用ステージ３０の両者を交換して使用することが可能となる。このため、例えば生物標本用ステージ１０を有する顕微鏡を持っている場合、工業用ステージ３０のみを別途入手すれば良く、従来のように工業用ステージ３０を有する顕微鏡を新たに導入する必要がなく、導入費用を低減することができる。
また、サブステージ２を現在使用中の顕微鏡本体１に交換可能に構成することで、容易に上記両方のステージ１０又はステージ３０を使用することが可能になる。
（第２実施の形態）
次に、本発明の第２実施の形態に係るサブステージとステージについて図面を参照しつつ説明する。第２実施の形態に係るサブステージでは、第１実施の形態のサブステージのメスアリがオスアリに変更されている点が異なり、これに応じてステージ側もオスアリからメスアリに変更されている。その他第１実施の形態と同様の構成には同じ符号を付し説明する。
図４Ａ−４Ｃは第２実施の形態に係るサブステージを有する顕微鏡本体の部分外観図であり、図４Ａはサブステージの一部断面を含む顕微鏡本体の側面図であり、図４Ｂはサブステージ（図４Ｂ中、サブステージの開口部からは、下部のコンデンサレンズホルダの上面が見えた状態となっている）を図４Ａの矢印Ａ方向から見た矢視図であり、図４Ｃは図４Ｂにおけるサブステージのみを示す矢視図である。
図４Ａ−４Ｃにおいて、顕微鏡本体１のサブステージ２２は、コロレース部３を介して上下方向に稼動できるように構成されており、上下動ハンドル４を回転させることで図示しないラック＆ピニオン等の機構により上下動するように構成されている。このサブステージ２２に標本を載置するための後述するステージが固定される。
サブステージ２２には、ステージを選択的に締結するために二つの異なる締結手段が設けられている。ステージの締結手段の一つは、丸アリ継手を用いたものである。このためにサブステージ２２の上部にはオスアリ２６が設けられている。
また、他の締結手段の一つとして、サブステージ２には、ねじ止め或いはボルト止めを用いてステージを締結するために四箇所のねじ穴７、７、７、７が設けられている。これは第１実施の形態と同様である。
次に、サブステージ２２に締結される従来のステージの一つに関し説明する。図５Ａ−５Ｃは、丸アリ継手を用いてサブステージ２２に締結されるステージの一例を示し、図５Ａは上面図、図５Ｂは側面図、図５Ｃは底面図であり図５Ｂにおける矢印Ｂから見た矢視図である。
図５Ａ−５Ｃにおいて、ステージ４０の下板４１には丸アリ継手の要素であるメスアリ４２が設けられている。ステージ４０は、このメスアリ４２を介して図４Ａ−４Ｃに示すサブステージ２２に固定される一般的な生物顕微鏡用のステージである。ステージ４０は、ハンドル１４を回転することにより不図示のラック＆ピニオンを介して上板４３が図示しないコロレースなどのガイド機構により下板４１に対して図５Ａ−５Ｃ紙面上下方向に沿って直線的に移動可能に構成されている。この上板４３の上面に図示しないスライドガラスが搭載される。スライドガラスはスライドガラスホルダ１５に保持される。スライドガラスホルダ１５はハンドル１６を回転することによって不図示のラック＆ピニオンを介して図５Ａ−５Ｃ紙面左右方向に沿って直線的に移動可能に構成されている。
このステージ４０のメスアリ４２とサブステージ２２のオスアリ２６とでステージ４０の位置決めが行われ、ステージ４０に設けられているクランプピン４８によりステージ４０がサブステージ２２に固定される。クランプピン４８は、ステージ４０の下板４１に設けられている。
サブステージ２２に締結される他の一つのステージは、第１実施の形態と同様のねじ止め或いはボルト止めを用いてサブステージ２２に締結される図３Ａ−３Ｃに示したステージ３０である。ステージ３０をステージ２２に取り付ける方法は第１実施の形態と同様なので説明は省略する。なお、サブステージ２２のオスアリ２６は、ステージ３０の下板３１に形成されている円形部分３７に挿入されるため、ステージ３０をサブステージ２２に締結する際の妨げにはならない。
以上述べたように、第２実施の形態では、顕微鏡本体１のサブステージ２２にオスアリ２６と四つのねじ穴７、７、７、７を設けることによって、メスアリ４２を有する例えば従来の生物標本用ステージ４０と、四つのザグリ穴３４、３４、３４、３４を有する例えば従来の工業用ステージ３０の両者を取り付けることが可能になる。この結果、ユーザは一台の顕微鏡本体１で生物標本用ステージ４０と工業用ステージ３０の両者を交換して使用することが可能となるため、例えば生物標本用ステージ４０を有する顕微鏡を持っている場合、工業用ステージ３０のみを別途入手すれば良く、従来のように工業用ステージ３０を有する顕微鏡を新たに導入する必要がなく、導入費用を低減することができる。
また、サブステージ２２を現在使用中の顕微鏡本体１に交換可能に構成することで、容易に上記両方のステージ４０又はステージ３０を使用することが可能になる。
（第３実施の形態）
次に、本発明の第３実施の形態に係るステージについて図面を参照しつつ説明する。本実施の形態は、ステージ側に本発明を適用した例である。第１、第２実施の形態では、ステージを選択的に締結するための異なる締結手段を有するサブステージについて説明したが、第３実施の形態では、丸アリ継手による締結手段と、ねじ締めによる締結手段の両方をステージ側が有している場合の例について説明する。
本実施の形態では、サブステージが従来既知の構造を有するものである。図６Ａ−６Ｃは、丸アリ継手用とねじ止め用の両方の締結手段に対応可能な２枚構成ステージの一例を示し、図６Ａは上面図を、図６Ｂは側面図を、図６Ｃは底面図であり図６Ｂにおける矢印Ｂから見た矢視図である。図７Ａ−７Ｃは、丸アリ継手用とねじ締め用の両方の締結手段に対応可能な３枚構成ステージの一例を示し、図７Ａは上面図、図７Ｂは側面図、図７Ｃは底面図であり図７Ｂにおける矢印Ｂから見た矢視図である。図６Ａ−６Ｃは図５Ａ−５Ｃと、図７Ａ−７Ｃは図３Ａ−３Ｃと同様の構成であり同じ部材には同じ符号を付し説明する。
図６Ａ−６Ｃにおいて、ステージ５０の下板４１には丸アリ継手の要素であるメスアリ４２が設けられており、このメスアリ４２を介して従来のオスアリを有するサブステージに固定される。ステージ５０は、ハンドル１４を回転することにより不図示のラック＆ピニオンを介して上板４３が図示しないコロレースなどのガイド機構により下板４１に対して図６Ａ−６Ｃ紙面上下方向に沿って直線的に移動可能に構成されている。この上板４３の上面に図示しないスライドガラスが搭載される。スライドガラスはスライドガラスホルダ１５に保持される。スライドガラスホルダ１５はハンドル１６を回転することによって不図示のラック＆ピニオンを介して図６Ａ−６Ｃ紙面左右方向に沿って直線的に移動可能に構成されている。
また、ステージ５０の下板４１には従来の工業用顕微鏡のサブステージのねじ穴への固定時に使用する四個のザグリ穴３４、３４、３４，３４が設けられている。ザグリ穴３４、３４、３４、３４はステージ５０の上方（図６Ａ紙面表面）からビス止めできるようにステージ５０の上方からあけられている。（図６Ｃはステージ５０を下から見た図であり、図６Ｃでは下板４１の裏面、すなわち上板４３側よりザグリ穴３４、３４、３４、３４が設けられていることになる。）
このステージ５０のメスアリ４２と従来のサブステージのオスアリとでステージ５０の位置決めが行われ、ステージ５０に設けられているクランプピン４８によりステージ５０がサブステージに固定される。クランプピン４８は、ステージ５０の下板４１に設けられている。
また、ステージ５０を従来の工業用顕微鏡のサブステージに取り付ける際は、下板４１をサブステージに当接させ、上板４３を片側、例えばＹ方向で検鏡者から離れる方向に寄せるなどしてザグリ穴３４、３４を露出させつつ、サブステージとのＸＹ平面内での位置合わせを行い図示しないボルトなどでねじ穴に固定する。
また、図７Ａ−７Ｃにおいて、ステージ６０の下板６１には丸アリ継手の要素であるメスアリ６１ａが設けられており、このメスアリ６１ａを介して従来のオスアリを有するサブステージに固定される。中板６２は、ハンドル３５を回転することにより不図示のラック＆ピニオンを介して不図示のコロレースなどのガイド機構により下板６１に対して図７Ａ−７Ｃ紙面上下方向に沿って直線的に移動可能に構成されている。また、上板６３は、ハンドル３６を回転することにより不図示のラック＆ピニオンを介して中板６２に対して不図示のコロレースなどのガイド機構により図７Ａ−７Ｃ紙面左右方向に沿って直線的に移動可能に構成されている。
このような３枚板の構成を取ることにより、上板６３はＸＹ平面内での２次元的な移動が可能になる。よって試料は上板６３とともにＸＹ平面内を移動することになり、前述した２枚板と異なり全ての方向の移動をコロレースを介してスムーズに行うことが可能となる。
下板６１には従来の工業用顕微鏡のサブステージのねじ穴への固定時に使用する四個のザグリ穴３４、３４、３４，３４が設けられている。ザグリ穴３４、３４、３４、３４はステージ３０の上方（図７Ａ紙面表面）からねじ止めできるようにステージ６０の上方からあけられている。（図６Ｃはステージ６０を下から見た図であり、図６Ｃでは下板６１の裏面、すなわち中板６２側よりザグリ穴３４、３４、３４、３４が設けられていることになる。）
ステージ６０を従来のサブステージに取り付ける際は、下板６１をサブステージに当接させ、中板６２を片側、例えばＹ方向で検鏡者から離れる方向に寄せるなどしてザグリ穴３４、３４を露出させつつ、サブステージとのＸＹ平面内での位置合わせを行い図示しないボルトなどでねじ穴７，７に固定する。
以上述べたように、第３実施の形態では、ステージ５０にメスアリ４２と四つのザグリ穴３４、３４、３４、３４を設け、ステージ６０にメスアリ６１ａと四つのザグリ穴３４、３４、３４、３４を設けた。そのことにより、オスアリ２６を有する例えば従来の生物標本用ステージを搭載している顕微鏡のサブステージと、オスアリ２６を有しない例えば従来の工業用ステージを搭載している顕微鏡のサブステージの両者に選択的に取り付け可能なステージを提供することができる。この結果、ユーザは、２枚板構成のステージ５０または３枚板構成のステージ６０の一台のステージで、生物標本用顕微鏡と工業用顕微鏡の両者を使用することが可能となる。
例えば、既に生物顕微鏡を有するユーザの場合、工業顕微鏡用のステージと、これと既に有する生物顕微鏡用のステージを装着可能な、本発明のサブステージを購入すればよい。また、更に本発明にかかるサブステージが装着された顕微鏡を購入すれば、従来既知の生物用、工業用のステージのみを入手すればよい。
なお、第１実施の形態、或いは第２実施の形態のサブステージと、第３実施の形態のステージを用いた顕微鏡を構成することも可能である。
（第４実施の形態）
次に、本発明の第４実施の形態について説明する。
例えば工業用の３枚の板で構成されるステージを生物用の２枚の板で構成されるステージに交換した場合、生物用ステージのコンデンサレンズとの位置関係は、工業用ステージのコンデンサレンズとの位置関係とは異なるので、コンデンサレンズを上昇させたときに、コンデンサレンズホルダがサブステージの下面に当接する前に、コンデンサレンズがスライドガラスやステージにぶつかってしまうおそれがある。この場合、ステージを厚いものから薄いものに交換したときに、コンデンサレンズがスライドガラスやステージにぶつからないようにする必要がある。本実施形態は、ステージを厚いものから薄いものに交換した場合でも、後述する磁石１３４と駒部材１３５とを用いることにより、コンデンサレンズがスライドガラスやステージにぶつからないようにした実施形態である。
以下、本実施形態について図面に基づいて説明する。図８は、本発明の第４実施形態に係る顕微鏡の側面図であり、一部を破断して示している。図９は、図８に示す顕微鏡に３枚の板で構成されるステージを装着した状態の一部を示す破断面図である。
この顕微鏡は、ベース部１０５と、支柱部１０６と、片持ちアーム１０７と、サブステージ１０１と、コンデンサレンズホルダ１０４と、サブステージ１０１とコンデンサレンズホルダ１０４とを共に上下動させる上下動ハンドル１０３とを備えている。
ベース部１０５の一端部には垂直方向へ延びる支柱部１０６が設けられている。また、ベース部１０５の背面には透過照明系用ランプ（図示せず）を取り付けるためのアダプタ１０２が設けられている。
支柱部１０６の上端部には水平方向へ延びる片持ちアーム１０７が設けられている。片持ちアーム１０７の下部には対物レンズ（図示せず）が例えばレボルバ（図示せず）を介して取り付けられ、上部には接眼部を有する鏡筒（図示せず）が取り付けられる。
上下動ハンドル１０３はベース部１０５に設けられている。上下動ハンドル１０３は支柱部１０６に平行な方向、つまり装着される対物レンズの光軸に沿った方向にサブステージ１０１を上下動させる。サブステージ１０１は上記第１又は第２実施形態におけるサブステージと同様の構成であり、ステージを選択的に締結するための２つの締結手段が設けられている。
サブステージ１０１の下部には、コンデンサレンズホルダ１０４が該サブステージ１０１に対して上下動可能に装着されている。図９に示すように、コンデンサレンズホルダ１０４にはコンデンサレンズ１２３が保持されている。コンデンサレンズホルダ１０４とコンデンサレンズ１２３とは一体に上下動する。コンデンサレンズホルダ１０４を上下動することによってコンデンサレンズ１２３の位置決めがなされる。
サブステージ１０１の上面にはステージ１２１が装着されている。ステージ１２１は上板１２１ａ、中板１２１ｂ、下板１２１ｃの３枚の板で構成されている。上板１２１ａは中板１２１ｂに対してＸ方向へ移動可能であり、中板１２１ｂは下板１２１ｃに対してＹ方向へ移動可能である。上板１２１ａの上面には開口を塞ぐようにスライドガラス１２２が載置されている。下板１２１ｃはボルト（図示せず）によってサブステージ１０１の上面に固定されている。上記構成によって、スライドガラス１２２を２次元方向へ移動させることができる。
サブステージ１０１の下面１０１Ａと対向するコンデンサレンズホルダ１０４の上面１０４Ａに形成された凹部１０４ａには磁石１３４（例えばフェライト磁石、希土類コバルト磁石）が接着剤で固定されている。磁石１３４はサブステージ１０１の下面１０１Ａにわずかな隙間を介して対向している。
図９に示す３枚の板で構成されるステージが装着された場合には、コンデンサレンズホルダ１０４を上昇させたとき、コンデンサレンズホルダ１０４の上面１０４Ａがサブステージ１０１の下面１０１Ａに当接し、コンデンサレンズホルダ１０４の上方への移動が規制され、コンデンサレンズ１２３がスライドガラス１２２に衝突することが阻止される。
次に、照明状態の調整方法を説明する。
まず、図９に示す３枚の板１２１ａ，１２１ｂ，１２１ｃで構成されるステージ１２１が装着された顕微鏡の場合、ステージ上下動ハンドル１０３を動かしてサブステージ１０１を上下動させてスライドガラス１２２の上面（観察面）にピントを合わせる。次に透過照明の視野絞り（図示せず）をその像が視野内に入るように絞り込む。
次に、観察面にピントを合わせた状態のまま、コンデンサレンズホルダ１０４を上昇（Ｚ方向へ移動）させてコンデンサレンズホルダ１０４の上面１０４Ａをサブステージ１０１の下面１０１Ａに当接させる。このとき、コンデンサレンズ１２３はコンデンサレンズホルダ１０４と一体となって上昇する。
この状態において、図９の顕微鏡は、３枚の板１２１ａ，１２１ｂ，１２１ｃで構成されるステージ１２１が装着される顕微鏡としてコンデンサレンズホルダ１０４の配置を考慮して設計されているので、コンデンサレンズ１２３の上端は上板１２１ａの上面よりも下方に位置し、コンデンサレンズ１２３がスライドガラス１２２に衝突することはない。
その後、コンデンサレンズホルダ１０４を徐々に下降（Ｚ方向へ移動）させて視野絞り像をスライドガラス１２２の上面に結像させる。その結果、最適な照明状態に調整される。
次に、上板１２１ａ、中板１２１ｂ、下板１２１ｃの３枚の板で構成される図９のステージ１２１を上板１３１ａ、下板１３１ｂの２枚の板で構成される図１０Ａのステージ１３１（ステージ１２１より薄いステージ）に交換した場合の顕微鏡の構成および照明状態の調整方法を説明する。
図１０Ａは、図８に示す顕微鏡に２枚の板で構成されるステージを装着した状態の一部を示す破断面図、図１０Ｂはその部分拡大図である。サブステージ１０１の上面にはステージ１３１が装着されている。ステージ１３１は上板１３１ａ、下板１３１ｂの２枚で構成されている。上板１３１ａは下板１３１ｂに対してＹ方向へ移動可能である。上板１３１ａの上面１３１ｃにはスライドガラス１２２が載置され、スライドガラス１２２は上板１３１ａの移動方向と直交する方向（Ｘ方向）へ移動可能な爪（図示せず）によって上板１３１ａに保持されている。下板１３１ｂは丸アリ継手ＤＧを介してサブステージ１０１の上面に固定されている。上記構成によって、スライドガラス１２２を２次元方向へ移動させることができる。
サブステージ１０１とコンデンサレンズホルダ１０４との間には調整駒１３５が配置されている。調整駒１３５は鉄等の磁性材料で形成され、磁石１３４によってコンデンサレンズホルダ１０４に吸着されている。磁石１３４と調整駒１３５とで移動規制手段が構成されている。コンデンサレンズホルダ１０４と、サブステージ１０１と、移動規制手段とでコンデンサレンズの位置決め装置が構成されている。
図９に示す３枚の板１２１ａ，１２１ｂ，１２１ｃで構成されるステージ１２１から図１０Ａに示す２枚の板１３１ａ，１３１ｂで構成されるステージ１３１に交換した場合、コンデンサレンズホルダ１０４の上面１０４Ａとステージ１３１の上板１３１ａとの間隔は小さくなる。しかし、調整駒１３５によって小さくなった間隔を補うことができ、コンデンサレンズホルダ１０４の上方への移動が規制され、コンデンサレンズ１２３は図１０Ａに示す位置から上方へ移動しない。このとき、コンデンサレンズ１２３の上端は上板１３１ａの上面１３１ｃよりも下方に位置し、コンデンサレンズ１２３はスライドガラス１２２やステージ１３１にぶつかっていない。
次に、図１０Ａに示す２枚の板１３１ａ，１３１ｂで構成されるステージ１３１が装着された状態の顕微鏡おける照明状態の調整方法を説明する。調整方法は上記した３枚構成のステージを装着した場合と同様である。
まず、ステージ上下動ハンドル１０３を動かしてサブステージ１０１を上下動させてスライドガラス１２２の上面（観察面）にピントを合わせる。次に透過照明の視野絞り（図示せず）をその像が視野内に入るように絞り込む。
次に、観察面にピントを合わせた状態のまま、コンデンサレンズホルダ１０４を上昇（Ｚ方向へ移動）させる。コンデンサレンズ１２３はコンデンサレンズホルダ１０４と一体となって上昇する。コンデンサレンズホルダ１０４を更に上昇させると、コンデンサレンズホルダ１０４の上面１０４Ａに配置された駒部材１３５の上端がサブステージ１０１の下面１０１Ａに当接する。駒部材１３５によりコンデンサレンズホルダ１０４の上昇が規制される。このとき、コンデンサレンズ１２３の上端は上板１３１ａの上面１３１ｃよりも下方に位置し、コンデンサレンズ１２３はスライドガラス１２２やステージ１３１にぶつかっていない。この調整駒１３５がない場合には、前述したように、コンデンサレンズホルダ１０４を上昇させると、コンデンサレンズホルダ１０４の上面１０４Ａがサブステージ１０１の下面１０１Ａに当接する前にコンデンサレンズ１２３がスライドガラス１２２やステージ１３１にぶつかってしまう。
このように、上記構成とすることによって、上板１２１ａ、中板１２１ｂ、下板１２１ｃで構成されるステージ１２１を上板１３１ａ、下板１３１ｂで構成されるステージ１３１に交換した場合でも、上記した調整方法と同様の調整方法によって照明状態を最適なケーラー照明にすることができる。
なお、上板１３１ａ、下板１３１ｂで構成されるステージ１３１を上板１２１ａ、中板１２１ｂ、下板１２１ｃで構成されるステージ１２１に交換する場合、コンデンサレンズ１２３を最適な照明状態となる位置まで上昇させることができなくなるので、調整駒１３５が外される。
本実施形態によれば、調整駒１３５によってコンデンサレンズホルダ１０４の上方への移動量を規制したので、本実施形態のようにステージを構成する板の数が異なる場合だけでなくステージ全体の厚みの異なるステージ１２１、１３１を使用した場合でも、コンデンサレンズ１２３がスライドガラス１２２やステージ１３１にぶつかることを防止できる。
なお、上記実施形態ではコンデンサレンズホルダ１０４側に磁石１３４を固定したが、磁石１３４はサブステージ１０１側に固定してもよい。調整駒１３５と磁石１３４との間にわずかな隙間が存在するが、磁力による調整駒１３５の装着は可能である。
図１０Ｂに示すように、磁石１３４は凹部１０４ａに配置されるが、磁石１３４は凹部１０４ａが形成されるサブステージ１０１の下面１０１Ａ又はコンデンサレンズホルダ１０４の上面１０４Ａよりもわずかに引っ込んだ状態で設置することが好ましい。磁石１３４を設けるサブステージ１０１の下面１０１Ａやコンデンサレンズホルダ１０４の上面１０４Ａは高い平面度が要求される。しかし、磁石１３４は平面度を持たせる加工が困難である。そのため、磁石１３４が突出した状態とすることは好ましくない。
（第５実施の形態）
図１１Ａは本発明の第５実施の形態に係る顕微鏡の一部を示す破断面図、図１１Ｂはその部分拡大図である。なお、第４実施の形態と共通する部分には同一符号を付してその説明を省略する。
この実施の形態は、コンデンサレンズホルダ１０４の上面１０４Ａに形成された凹部１４４ｂにロッド（調整部材）１４５を嵌合させることによってコンデンサレンズホルダ１０４の上方への移動を規制するようにした点で、第４実施形態と相違する。長さの異なるロッド１４５を複数用意しておくことで、厚さの異なる各種のステージ１３１に対応することができる。凹部１４４ｂとロッド１４５とで移動規制手段が構成される。
この実施の形態によれば、第４実施の形態と同様の効果を奏するとともに、第４実施の形態のように磁石１３４を用いなくてもよいので、製造コストを低減することができる。
（第６実施の形態）
図１２Ａは本発明の第６実施の形態に係る顕微鏡の一部を示す破断面図、図１２Ｂはその部分拡大図である。なお、第４、５実施の形態と共通する部分には同一符号を付してその説明を省略する。
この実施の形態は、コンデンサレンズホルダ１０４の上面１０４Ａに形成された凹部１５４にめねじ１５４Ｃを形成するとともに、めねじ１５４Ｃに調整ねじ（調整部材）１５５のおねじ部１５５Ｃを螺合させることによってコンデンサレンズホルダ１０４の上方への移動を規制するようにした点で、第４実施の形態と相違する。長さの異なる調整ねじ１５５を複数用意しておくことで、厚さの異なる各種のステージ１３１に対応することができる。めねじ１５４Ｃと調整ねじ１５５とで移動規制手段が構成される。この実施の形態によれば、第４実施の形態と同様の効果を奏するとともに、調整ねじ１５５を用いたので、調整ねじ１５５とコンデンサレンズホルダ１０４との固着がより強くなり、第４、５実施の形態に比べて調整ねじ１５５の脱落等の心配がない。
以上のように、装着するステージの厚さに応じて、サブステージとコンデンサレンズの間隔を規制する移動規制部材を設けることにより、異なる厚みのステージに交換した際の問題を解決することが可能となる。
なお、上述の実施の形態は例に過ぎず、上述の構成や形状に限定されるものではなく、本発明の範囲内において適宜修正、変更が可能である。
【図１Ａ】
2008117809.tif 000003
【図１Ｂ】
2008117809.tif 000004
【図１Ｃ】
2008117809.tif 000005
【図２Ａ】
2008117809.tif 000006
【図２Ｂ】
2008117809.tif 000007
【図２Ｃ】
2008117809.tif 000008
【図３Ａ】
2008117809.tif 000009
【図３Ｂ】
2008117809.tif 000010
【図３Ｃ】
2008117809.tif 000011
【図４Ａ】
2008117809.tif 000012
【図４Ｂ】
2008117809.tif 000013
【図４Ｃ】
2008117809.tif 000014
【図５Ａ】
2008117809.tif 000015
【図５Ｂ】
2008117809.tif 000016
【図５Ｃ】
2008117809.tif 000017
【図６Ａ】
2008117809.tif 000018
【図６Ｂ】
2008117809.tif 000019
【図６Ｃ】
2008117809.tif 000020
【図７Ａ】
2008117809.tif 000021
【図７Ｂ】
2008117809.tif 000022
【図７Ｃ】
2008117809.tif 000023
【図８】
2008117809.tif 000024
【図９】
2008117809.tif 000025
【図１０Ａ】
2008117809.tif 000026
【図１０Ｂ】
2008117809.tif 000027
【図１１Ａ】
2008117809.tif 000028
【図１１Ｂ】
2008117809.tif 000029
【図１２Ａ】
2008117809.tif 000030
【図１２Ｂ】
2008117809.tif 000031
【国際調査報告】
2008117809.tif 000032
2008117809.tif 000033